(57)【要約】【課題】内径の小さいコルゲートチューブにも使用し易くする。【解決手段】本体１は、左右の側面を指Ｌ１、Ｌ２で摘む板状にし、本体１の前端は、コルゲートチューブｔの軸方向のスリットｓに分け入る先細の横断面形状の楔部２にし、本体１の下端は、コルゲートチューブｔ内を軸方向に前進する円弧縦断面形状の案内部３にし、本体１は、右側又は左側の片面に、電線束ｗの一部分を挿入する電線溝４を本体１の前端又は上端から後端又は下端に貫通し、電線溝４の後端又は下端から突出する電線束ｗを案内部３の後側に配置する構成にした。また、案内部３は、左右の端部をそれぞれ本体１の左右の側面より突出し、その突出端部にコルゲートチューブｔのスリットｓの内側縁を引っ掛ける構成にした。【選択図】　図７
0003098631.tif 000002
【実用新案登録請求の範囲】
【請求項１】
本体は、左右の側面を指で摘む板状にし、
本体の前端は、コルゲートチューブの軸方向のスリットに分け入る先細の横断面形状の楔部にし、
本体の下端は、コルゲートチューブ内を軸方向に前進する円弧縦断面形状の案内部にし、
本体は、右側又は左側の片面に、電線束の一部分を挿入する電線溝を本体の前端又は上端から後端又は下端に貫通し、電線溝の後端又は下端から突出する電線束を案内部の後側に配置する構成にしたことを特徴とするコルゲートチューブ装着具。
【請求項２】
案内部は、左右の端部をそれぞれ本体の左右の側面より突出し、その突出端部にコルゲートチューブのスリットの内側縁を引っ掛ける構成にしたことを特徴とする請求項１に記載のコルゲートチューブ装着具。
【考案の詳細な説明】
【０００１】
【考案の属する技術分野】
本考案は、電線の束にコルゲートチューブを被せる装着具に関する。
【０００２】
【従来の技術】
コルゲートチューブは、ハーネスとも言われる電線束を保護する合成樹脂成形品の波形管で、弾性のある管壁に電線束挿入用のスリットを軸方向に形成している。
【０００３】
コルゲートチューブの装着具は、特許文献１や特許文献２に開示されているように、弾性のある樹脂板をＵ字形状断面に湾曲し、前後方向に貫通する半円筒板の底部と、その左右の両側から立ち上がる平板の側板部とを形成している。
【０００４】
装着具の底部には、両側の側板部の間から電線束を挿入し、コルゲートチューブを被せる電線束を前後方向に貫通する構成にしている。
【０００５】
装着具の両側の側板部は、左右に並列し、外側から指で挟むと内側に湾曲して左右の上辺が近接する構成にしている。左右の側板部は、それぞれ、直角三角形状にしてその上辺を前下りの斜線にし、斜線の上辺にフランジを外向きに突出して形成している。側板部は、左右の上辺部をコルゲートチューブのスリットに挿入すると共に、左右のフランジをスリットの左右の内側縁に引っ掛けて、コルゲートチューブのスリットを周方向に広げる構成にしている。
【０００６】
電線束にコルゲートチューブを被せるときには、装着具の底部に電線束を前後方向に貫通する。装着具の左右の側板部は、内側に湾曲して左右の上辺の後端部を近接し、その左右のフランジ付き上辺部に、その後端からコルゲートチューブの前端を差し込む。すると、コルゲートチューブの前端部は、スリットが周方向に広がる。
【０００７】
次に、コルゲートチューブの前端部は、装着具の側板部のフランジ付き上辺部に嵌合した状態で、その上辺部に沿って前下りに前進させる。すると、コルゲートチューブの前端部は、スリットが周方向に広がった状態で、装着具の底部の前側に突出している電線束に突き当たり、その電線束に馬乗りになる。
【０００８】
コルゲートチューブは、前端部又はその後側の一部分が装着具の側板部のフランジ付き上辺部に嵌合した状態で、更に前進させる。すると、コルゲートチューブの前端部は、装着具の側板部のフランジ付き上辺部を通過し、それ自身の弾性でスリットが閉鎖する。コルゲートチューブの前端部が装着具の底部前側の電線束を被覆することになる。
【０００９】
コルゲートチューブは、装着具の側板部のフランジ付き上辺部を後側から前側に通過する部分が、順次、装着具の前側に突出している電線束に嵌合して被さる。
【００１０】
【特許文献１】
特開平７−２４５８４０号公報
【特許文献２】
特開平１０−１０６３６７号公報
【００１１】
【考案が解決しようとする課題】
ところが、従来のコルゲートチューブ装着具は、内径の小さいコルゲートチューブには使用し難い。
【００１２】
上記の従来の装着具は、内径の小さいコルゲートチューブに使用するときには、両側の側板部のフランジ付き上辺部を、小径のコルゲートチューブ内に挿入するため、側板部とフランジを薄くし、フランジの突出長さを短くしなければならない。内径が３ｍｍ程度の小径コルゲートチューブ用に設計すると、側板部の厚さとフランジの突出長さの和が内径の半分、１．５ｍｍ程度になり、側板部の厚さが非常に薄くなり、フランジの突出長さが非常に短くなる。
【００１３】
Ｕ字形状湾曲板の装着具は、側板部がこのように薄くなると、取り扱い難くなる。また、フランジの突出長さがこのように短くなると、フランジがコルゲートチューブのスリット内側縁から外れ易くなる。
【００１４】
【課題を解決するための手段】
１）図７に例示するように、本体１は、左右の側面を指Ｌ１、Ｌ２で摘む板状にし、
本体１の前端は、コルゲートチューブｔの軸方向のスリットｓに分け入る先細の横断面形状の楔部２にし、
本体１の下端は、コルゲートチューブｔ内を軸方向に前進する円弧縦断面形状の案内部３にし、
本体１は、右側又は左側の片面に、電線束ｗの一部分を挿入する電線溝４を本体１の前端又は上端から後端又は下端に貫通し、電線溝４の後端又は下端から突出する電線束ｗを案内部３の後側に配置する構成にしたことを特徴とするコルゲートチューブ装着具。
【００１５】
２）上記のコルゲートチューブ装着具において、
案内部３は、左右の端部をそれぞれ本体１の左右の側面より突出し、その突出端部にコルゲートチューブｔのスリットｓの内側縁を引っ掛ける構成にしたことを特徴とする。
【００１６】
【考案の効果】
本考案のコルゲートチューブ装着具を使用するときは、電線溝に電線束の一部分を挿入し、電線溝の後端又は下端から突出する電線束を案内部の後側に配置し、本体の左右の側面を指で摘み、電線溝を指で覆って電線束の電線溝挿入部分を本体に保持する。
【００１７】
次に、本体の楔部をコルゲートチューブの端部のスリットに差し込むと共に、本体の案内部をコルゲートチューブの端部内に挿入し、本体と電線束の電線溝挿入部分をコルゲートチューブに対して移動し、本体の案内部を、コルゲートチューブ内をその軸方向に前進させる。すると、案内部の後側に位置する電線束は、コルゲートチューブ内に引き込まれる。電線束にコルゲートチューブが被せられる。
【００１８】
本考案のコルゲートチューブ装着具は、内径の小さいコルゲートチューブにも使用し易い。
【００１９】
内径の小さいコルゲートチューブに使用するときには、本体の厚さと案内部の径は、コルゲートチューブの内径の半分程度にする必要がなく、コルゲートチューブの内径程度にすれば良い。この程度の寸法では、従来品のように取り扱いが難しくなることはない。
【００２０】
【考案の実施の形態】
コルゲートチューブは、合成樹脂成形品の波形管で、弾性のある管壁に電線束挿入用のスリットを軸方向に形成している。電線束は、自動車に使用されるハーネスであり、複数本の電線の束である。
【００２１】
図１〜図５に示すコルゲートチューブ装着具は、合成樹脂成形品である。装着具の本体１は、左右の側面を親指と人差指で摘むほぼ平板の板状にしている。板状の本体１は、後下端を切り欠いて、前後方向長さを、下端で短く、上端で長くしている。
【００２２】
本体１の前端は、コルゲートチューブの軸方向のスリットに分け入る楔部２にしている。楔部２は、横断面形状を先細三角形状にしている。
【００２３】
本体１の下端は、コルゲートチューブ内を軸方向に前進する案内部３にしている。案内部３は、縦断面形状を円弧形状にしている。
【００２４】
円弧縦断面形状の案内部３は、左右方向の径を本体１の厚さより少し大きくし、左右の端部をそれぞれ本体１の左右の側面より突出している。案内部３をコルゲートチューブ内に入れると、案内部３の左右の突出端部にコルゲートチューブのスリットの左右の内側縁が引っ掛かり、案内部３がスリットから外側に抜け出し難くなる。
【００２５】
本体１は、右側の片面に、電線束の一部分を挿入する電線溝４を後下がりの斜め方向に貫通している。電線溝４は、前端ないし上端を本体１の前上端に配置し、後端ないし下端を本体１の後下端、案内部３の後端位置に配置している。
【００２６】
実施例では、コルゲートチューブ装着具の寸法は、図３と図４に示すように、厚さが３ｍｍ、高さが１５ｍｍで、長さが２０ｍｍである。コルゲートチューブは、内径が３ｍｍである。
【００２７】
このコルゲートチューブ装着具１を使用するときは、図６に示すように、電線溝４に電線束ｗの一部分を挿入し、電線溝４の後端ないし下端から突出する電線束ｗの大部分を案内部３の後側に配置する。
【００２８】
そして、図７に鎖線で示すように、装着具１の左右の側面を一方の手の親指Ｌ１と人差指Ｌ２で摘み、電線溝４を親指Ｌ１で覆って、電線束ｗの電線溝挿入部分を装着具１に押し付けて保持する。他方の片手の親指Ｒ１と人差指Ｒ２でコルゲートチューブｔの端部を摘む。
【００２９】
次に、両手の操作で、楔部２をコルゲートチューブｔの端部のスリットｓに差し込むと共に、案内部３をコルゲートチューブｔの端部内に挿入し、図８に示すように、装着具１と電線束ｗの電線溝挿入部分をコルゲートチューブｔに対してその軸方向に相対的に移動し、案内部３を、コルゲートチューブｔ内をその軸方向に前進させる。すると、案内部３の後側に位置する電線束ｗは、コルゲートチューブｔ内に引き込まれる。
【００３０】
装着具１と電線束ｗがコルゲートチューブｔに対して前進するに従って、コルゲートチューブｔ内に引き込まれる電線束ｗの長さが増加する。コルゲートチューブｔのスリットｓは、装着具１が挟み込まれると、その挟み込み部分とその付近では周方向に広がり、装着具１が通過すると、装着具１から後方に離れた部分では、それ自身の弾性で閉鎖する。
【００３１】
装着具１と電線束ｗがコルゲートチューブｔに対して前進すると、電線束ｗにコルゲートチューブｔが被せられる。
【図面の簡単な説明】
【図１】本考案の実施形態におけるコルゲートチューブ装着具の右側面図。
【図２】図１のＡ−Ａ線断面図。
【図３】図１のＢ−Ｂ線断面図。
【図４】同コルゲートチューブ装着具の左側面図。
【図５】同コルゲートチューブ装着具の概略斜視図。
【図６】同コルゲートチューブ装着具の電線溝に電線束を挿入した状態の概略斜視図。
【図７】同コルゲートチューブ装着具をコルゲートチューブに差し込む直前の状態の概略斜視図。
【図８】同コルゲートチューブ装着具をコルゲートチューブに差し込んだ状態の概略斜視図。
【符号の説明】
１　コルゲートチューブ装着具、本体
２　楔部
３　案内部
４　電線溝
ｗ　電線束
ｔ　コルゲートチューブ
ｓ　コルゲートチューブのスリット
Ｌ１、Ｒ１　親指
Ｌ２、Ｒ２　人差指
【図１】
0003098631.tif 000003
【図２】
0003098631.tif 000004
【図３】
0003098631.tif 000005
【図４】
0003098631.tif 000006
【図５】
0003098631.tif 000007
【図６】
0003098631.tif 000008
【図７】
0003098631.tif 000009
【図８】
0003098631.tif 000010